(57)【要約】      （修正有）【課題】ピン付きゴルフボールマーカーとコイン状ゴルフボールマーカーの２種類のゴルフボールマーカーを保持し、必要に応じて容易に両者を使い分けることができるようにしたゴルフボールマーカー保持具を提供する。【解決手段】本体１の開口部２から少なくとも１つのピン付きゴルフボールマーカー３と１つの板状のゴルフボールマーカー４を挿入して保持させることができるようにしたゴルフボールマーカー保持具であって、前面側にピン通し部５を設け、ピン付きゴルフボールマーカー３を、ピン通し部５からピン３ａが前方に突出した状態で保持するとともに、その後方にコイン状ゴルフボールマーカー４を保持することができるようにしたものとしている。【選択図】図１
0003131906.tif 000002
【実用新案登録請求の範囲】
【請求項１】
本体（１）の開口部（２）から少なくとも１つのピン付きゴルフボールマーカー（３）と１つのコイン状ゴルフボールマーカー（４）を挿入して保持させることができるようにしたゴルフボールマーカー保持具であって、前面側にピン通し部（５）を設け、ピン付きゴルフボールマーカー（３）を、ピン通し部（５）からピン（３ａ）が前方に突出した状態で保持するとともに、その後方にコイン状ゴルフボールマーカー（４）を保持することができるようにしていることを特徴とするゴルフボールマーカー保持具。
【請求項２】
本体（１）内の底部において前面側と後面側に段差を設け、コイン状ゴルフボールマーカー（４）を開口部（２）から一部露出した状態で保持できるようにしている請求項１記載のゴルフボールマーカー保持具。
【請求項３】
本体（１）内に押さえ部材（６）を設け、押さえ部材（６）を介して前面側と後面側にそれぞれゴルフボールマーカー（３）（４）が配され、かつ、押さえ部材（６）と前面側、後面側の各壁（７）（８）によって各ゴルフボールマーカー（３）（４）が挟圧されるようになっている請求項１又は２記載のゴルフボールマーカー保持具。
【請求項４】
本体（１）の後面側に、磁力により適宜のものに付着させるための吸着具（９）を設けた請求項１、２又は３記載のゴルフボールマーカー保持具。
【請求項５】
請求項４記載のゴルフボールマーカー保持具の吸着具（９）が吸着するようにしたことを特徴とする基板。
【考案の詳細な説明】
【技術分野】
【０００１】
この考案は、ゴルフボールの位置を示すために使用されるゴルフボールマーカーの保持具に関するものである。
【背景技術】
【０００２】
ゴルフのプレー時において、ゴルフボールがグリーンにオンした場合、その位置にゴルフボールマーカーを置き、ゴルフボールを拾い上げ、再び自分の順がまわってきたときにゴルフボールマーカーの位置にゴルフボールをリプレースすることが行われる。
【０００３】
一般的に、ゴルフボールマーカーは、プラスチック製の、円板状部分とその裏面の中心から垂直に延びたピンからなるピン付き板状のものが多く使用されており、他のプレーヤーのボールラインへの支障は少ないものの、小さく薄いためグリーンの起伏で目立たないという欠点があり、また、意匠面で凝ったものにはできないため、最近では、ピンのない鉄や真鍮製等のコイン状ゴルフボールマーカーも使用されている。
【０００４】
カップから近距離の場所では、他のプレーヤーのゴルフボールマーカーとの距離も近く過密になりがちであるため、比較的小さく薄いピン付きゴルフボールマーカーが適しているが、カップから遠距離の場所では、よく目立ち、ラインを読むのに便利な、比較的大きく厚いコイン状ゴルフボールマーカーが適している。
【０００５】
ところで、ゴルフボールマーカーは、常に手に持っていてはプレーの支障になるため、通常は使用者が着ているスラックスのポケット等に収納しているが、ゴルフボールやティなども一緒に収納しているため、必要になったとき取り出しに手間取り、素早く取り出せずにプレーの進行を妨げてしまうことが多い。
【０００６】
そのため、特許文献１に記載のような、帽子、ズボンなどの衣服に装着され、円板状の磁性体製ボールマーカーを磁力で着脱可能に吸着するゴルフのボールマーカー用クリップが考案されているが、磁性体製のコイン状ゴルフボールマーカーのみを保持することができるだけで、ピン付きゴルフボールマーカーとコイン状ゴルフボールマーカーの２種類を保持できるようにしたものではないため、カップからの距離に応じて２種類のゴルフボールマーカーを使い分けるようなことは不便な状況にあった。
【特許文献１】実用新案登録第３１０１４５６号公報
【考案の開示】
【考案が解決しようとする課題】
【０００７】
そこで、この考案は、ピン付きゴルフボールマーカーとコイン状ゴルフボールマーカーの２種類のゴルフボールマーカーを保持し、必要に応じて容易に両者を使い分けることができるようにすることが可能なゴルフボールマーカー保持具を提供することを課題とする。
【課題を解決するための手段】
【０００８】
この考案のゴルフボールマーカー保持具は、本体１の開口部２から少なくとも１つのピン付きゴルフボールマーカー３と１つのコイン状ゴルフボールマーカー４を挿入して保持させることができるようにしたゴルフボールマーカー保持具であって、前面側にピン通し部５を設け、ピン付きゴルフボールマーカー３を、ピン通し部５からピン３ａが前方に突出した状態で保持するとともに、その後方にコイン状ゴルフボールマーカー４を保持することができるようにしたものとしている。なお、前記ピン付きゴルフボールマーカー３は、芝に差し込んで浮き上がらないように固定するためのピンを板状の部分に垂直に設けたものであり、コイン状ゴルフボールマーカー４は、前記ピンのないものである。
【０００９】
本体１内の底部において前面側と後面側に段差を設け、コイン状ゴルフボールマーカー４を開口部２から一部露出した状態で保持できるようにしてもよい。
【００１０】
本体１内に押さえ部材６を設け、押さえ部材６を介して前面側と後面側にそれぞれゴルフボールマーカー３，４が配され、かつ、押さえ部材６と前面側、後面側の各壁によって各ゴルフボールマーカー３，４が挟圧されるようになったものとしてもよい。
【００１１】
本体１の後面側に、磁力により適宜のものに付着させるための吸着具９を設け、磁力により適宜のものに付着させられるようにしてもよい。
【００１２】
また、前記ゴルフボールマーカー保持具は、吸着具９が吸着するようにした基板１０とともに用いることができる。
【考案の効果】
【００１３】
この考案のゴルフボールマーカー保持具は、上述のような構成を有しており、ピン付きゴルフボールマーカーとコイン状ゴルフボールマーカーの２種類のゴルフボールマーカーを保持し、必要に応じて両者を容易に使い分けることができるようになっている。
【００１４】
本体１内の底部において前面側と後面側に段差を設け、コイン状ゴルフボールマーカー４を開口部２から一部露出した状態で保持できるようにすれば、コイン状ゴルフボールマーカー４を摘んで容易に取り出すことが可能となる。
【００１５】
本体１内に押さえ部材６を設け、押さえ部材６を介して前面側と後面側にそれぞれゴルフボールマーカー３，４が配され、かつ、各ゴルフボールマーカー３，４が押さえ部材６と前面側、後面側の各壁によって挟圧されるようになったものとすれば、姿勢を傾けた場合等において、各ゴルフボールマーカーが不意に本体１から離脱することを防止し、安定した保持状態を保つことができる。
【００１６】
また、本体１の後面側に、磁力により適宜のものに付着させるための吸着具９を設け、吸着具９が吸着するようにした基板１０を用いることにより、各種のウェアの適宜箇所に取り付けて、便利に使用することが可能となる。
【考案を実施するための最良の形態】
【００１７】
以下、この考案の好適な実施形態を、図面を参照して説明する。
【００１８】
図１はこの考案の実施形態のゴルフボールマーカー保持具と２種類のゴルフボールマーカーの斜視図、図２はゴルフボールマーカー保持具の内部の構成と吸着具９を示す説明図、図３はゴルフボールマーカー保持具の背面図である。
【００１９】
このゴルフボールマーカー保持具は、本体１の開口部２から少なくとも１つのピン付きゴルフボールマーカー３と１つのコイン状ゴルフボールマーカー４を挿入して保持させることができるようにしたゴルフボールマーカー保持具であって、前面側にピン通し部５を設け、ピン付きゴルフボールマーカー３を、ピン通し部５からピン３ａが前方に突出した状態で保持するとともに、その後方にコイン状ゴルフボールマーカー４を保持することができるようにしている。
【００２０】
ピン付きゴルフボールマーカー３は、プラスチック製の円板状部分とその裏面の中心から垂直に延びたピン３ａからなるものとしている。
【００２１】
コイン状ゴルフボールマーカー４は、表面に適宜の装飾が施された鉄や真鍮製等のコイン状ないしメダル状で、ピンのないものとしている。ピン付きゴルフボールマーカー３とコイン状ゴルフボールマーカー４は、いずれも一般的に普及しているものでよく、形状や素材は前述ものに限定されない。
【００２２】
このゴルフボールマーカー保持具の本体１は、前面側の壁７、後面側の壁８、及びこれらの間に形成された壁１１からなり、上部に開口部２を有する小容器状で、内部において前面側の壁７と後面側の壁８との間に、少なくとも２つのゴルフボールマーカーを収容できる間隔を有している。前面側の壁７及び後面側の壁８は、ゴルフボールマーカーの半径よりやや大きい半径の略半円形部分を有し、さらに、ゴルフボールマーカーの出し入れがしやすくするために漏斗状に上部を広げた形状とすることができる。
【００２３】
本体１は、プラスチック、金属、皮革等適宜の素材で製造することができる。図示したものは、全体を一体成形したものとしているが、接着や縫製により複数の部材で本体１を形成することもできる。
【００２４】
前面側の壁７には、中央上端から中心部に至る切り込みが形成されており、これをピン通し部５としている。ピン通し部５は、上方に逆八字状に広がった形状であり、スムーズにゴルフボールマーカーのピン３ａを下方に案内できるようになっている。また、本体１に収納されたピン付きゴルフマーカー３は、そのピン３ａを指で摘んで上方に引き上げることにより、容易に取り出すことができる。
【００２５】
後面側の壁８には、外側の面に、磁力により適宜のものに付着させるための吸着具９として磁石が接着されている。このゴルフボールマーカー保持具は、前記吸着具９の磁力により、後述の基板１０を利用して適宜のものに付着させることができる。さらに、後面側の壁８の左右上部の隆起した部分には、貫通孔１２が設けられており、この貫通孔１２に通した安全ピンや糸により、ウェア等にゴルフボールマーカー保持具を取り付けることも可能となっている。
【００２６】
本体１内の底部には、前面側と後面側とで段差が設けられている。段差は、図１に表れているように、後面側に底上げ部１３を形成することにより生じたものとすることができる。底上げ部１３はコイン状ゴルフボールマーカー４の下端縁を支持できる形状であればよい。この段差により、コイン状ゴルフボールマーカー４を開口部２から一部露出した状態で保持することができる。
【００２７】
本体１内の中央と左右には、底上げ部１３を縦断して底に抜ける３つの縦孔１４ａ，１４ｂ，１４ｃが形成されており、これらの縦孔１４ａ，１４ｂ，１４ｃにより本体１内に侵入した水を抜いたり、あるいは本体１の歪みを吸収したりできるようになっている。
【００２８】
本体１内には、押さえ部材６が設けられている。押さえ部材６は、前方にヘアピン状に曲がった適宜の大きさの板バネとしており、前記中央の縦孔１４ｂに差し込むことにより固定されている。押さえ部材６は、ウレタン等、伸縮性、弾性を有する材料で形成することもできる。
【００２９】
本体１の内部は、この押さえ部材６を介して前面側と後面側にそれぞれゴルフボールマーカー３，４が配され、かつ、各ゴルフボールマーカー３，４が押さえ部材６と前面側、後面側の各壁７，８によって挟圧されるようになっている。これにより、使用者が姿勢を傾けた場合等において、各ゴルフボールマーカー３，４が不意に本体１から離脱することを防止し、安定した保持状態を保つことができる。
【００３０】
図４は、ゴルフボールマーカー保持具の吸着具９が吸着するようにした基板１０の説明図である。この基板１０は、適宜の布等の基材１６に鉄板１５を接着している。鉄板１５は、錆止めの鍍金を施したものとすることが望ましい。基板１０を構成する部材は前述のものに限られず、基板１０が前記吸着具９に吸着するように構成されていればよい。なお、鉄板１５は磁石に換えることができる。その場合の本体１の吸着具９は、当然鉄板となる。
【００３１】
基材１６において、鉄板１５の上方及び下方の部分には、粘着剤が塗布された貼付部１７が設けられている。使用前においては、前記貼付部１７には剥離紙が接着されたものとし、使用時にこの薄利紙を剥がして、スラックス、上衣、雨具等のウェアの適宜箇所に基板１０を貼り付けて固定することができる。
【００３２】
なお、このゴルフボールマーカー保持具のウェアへの取り付けは、前記貼付部１７の粘着剤のみに頼るものではなく、前記粘着剤はあくまで補助的なものでよく、吸着具９の吸着により、ゴルフボールマーカー保持具の装着後において、基板１０とゴルフボールマーカー保持具とが、安定的に相互に吸着した状態が保たれ、安易に落下しないようになっていればよい。前記貼付部１７の粘着剤が劣化した場合は、代わりに両面接着テープを使用するとよい。
【００３３】
図５は、ウェアの生地１８の裏側に前記基板１０を貼り付け（図示せず）、生地１８の表側にゴルフボールマーカー保持具を取り付けた状態を示す斜視図であり、図６はその断面図、図７はゴルフボールマーカー３，４の収容状態の説明図である。ゴルフボールマーカー保持具の本体１には、１つのピン付きゴルフボールマーカー３と１つのコイン状ゴルフボールマーカー４とを挿入して保持させている。
【００３４】
各ゴルフボールマーカー３，４は、本体１内において、それぞれの円板状の部分を本体１の前後の面と平行にして立てた状態、すなわち、ピン付きゴルフボールマーカーのピン３ａをピン通し部５から突出させ、その円板状部分の後方にコイン状ゴルフボールマーカー４の一面が平行になるように配される。
【００３５】
このゴルフボールマーカー保持具は、２種類のゴルフボールマーカー３，４を保持することができるので、極めて便利に使用することができる。すなわち、前述のように、ウェアの表面にこのゴルフボールマーカー保持具を取り付けることができるので、ゴルフボールマーカー３，４は、使用者が着ているスラックスのポケットに入れた場合よりも素早く取り出すことができ、プレーの進行が円滑に行われるようにすることができる。
【００３６】
しかも、他のプレーヤーのゴルフボールマーカーとの距離も近く過密になりがちなカップから近距離の場所では、比較的小さく薄いピン付きゴルフボールマーカー３を使用し、他方、カップから遠距離の場所では、比較的大きく厚いコイン状ゴルフボールマーカー４を使用するなど、状況に応じて２種類のゴルフボールマーカー３，４を使い分けることが簡単にできるようになる。
【００３７】
また、このゴルフボールマーカー保持具は、使用者が、ウェアにおいてプレーに支障の出ない箇所を適宜選んで取り付けることができる。特に、スラックスの膝の上下辺りに取り付ければ、図８に示したように、ゴルフボールマーカーのセット、ボールの拾い上げの一連の動作（図中ａ、ｂ、ｃ、ｄの順）、そしてゴルフボールマーカー及びボールのリセット、パッティングへの移行の一連の動作（図中ｅ、ｆ、ｇ、ｈ、ｉの順）を、無駄な動きなく素早く行うことができるので、プレー進行の遅延の問題を効果的に解消することができる。
【００３８】
さらに、コイン状ゴルフボールマーカー４は、磁石に吸着するような材質に限定されず、各種の金属等で作製することができ、使用者の嗜好に応じた適宜の厚みや重さを有するものを使用することができる。
【００３９】
また、基板１０はウェアの外から見えない内側に隠れさせることができるため、スッキリとした外観となる。なお、このゴルフボールマーカー保持具は、基板１０を使用せず、バッグの金具やカート等に吸着させることもできる。
【図面の簡単な説明】
【００４０】
【図１】この考案の実施形態のゴルフボールマーカー保持具と２種類のゴルフボールマーカーの斜視図である。
【図２】この考案の実施形態のゴルフボールマーカー保持具の内部の構成と吸着具を示す説明図である。
【図３】この考案の実施形態のゴルフボールマーカー保持具の背面図である。
【図４】この考案の実施形態のゴルフボールマーカー保持具の吸着具が吸着するようにした基板の説明図である。
【図５】この考案の実施形態のゴルフボールマーカー保持具の取り付け状態の斜視図である。
【図６】この考案の実施形態のゴルフボールマーカー保持具の取り付け状態の断面図である。
【図７】この考案の実施形態のゴルフボールマーカー保持具のゴルフボールマーカーの収容状態の説明図である。
【図８】この考案の実施形態のゴルフボールマーカー保持具の使用状態の説明図である。
【符号の説明】
【００４１】
１  本体
２  開口部
３  ピン付きゴルフボールマーカー
４  コイン状ゴルフボールマーカー
５  ピン通し部
６  押さえ部材
７  前面側の壁
８  後面側の壁
９  吸着具
１０  基板
【図１】
0003131906.tif 000003
【図２】
0003131906.tif 000004
【図３】
0003131906.tif 000005
【図４】
0003131906.tif 000006
【図５】
0003131906.tif 000007
【図６】
0003131906.tif 000008
【図７】
0003131906.tif 000009
【図８】
0003131906.tif 000010